(57)【特許請求の範囲】
【請求項１】
複数段に伸縮自在に嵌合取付された径が異なる複数の筒体からなるテレスコピックシュートであって、
前記複数の筒体は、同心状に配置され、それぞれ下端開口部の中央部に内部を通過する粒状物と衝突する緩衝体を有し、
前記複数の筒体のうち、少なくとも前記緩衝体に衝突した粒状物が通過する筒体は、内壁部に前記粒状物と衝突して通過方向を変更するための案内板を有し、
前記緩衝体は、各筒体の収縮時にそれぞれ重なり合うように配置され、
前記案内板は、前記筒体の内壁部に沿って取り付けられ、それが取り付けられた筒体の下端開口部中央に向かうテーパ面となるように傾斜取付された螺旋状部材、複数段の環状部材又は複数段の半円状部材からなり、各筒体の収縮時に内部に収容する筒体の外壁との間に配置されると共に前記外壁に干渉しない状態で固定配置されている
ことを特徴とするテレスコピックシュート。
【請求項２】
前記緩衝体は、前記筒体の上端開口部に向かって頂点が配置された円錐状部材又は角錐状部材からなる
ことを特徴とする請求項１記載のテレスコピックシュート。
【請求項３】
前記複数の筒体は、最上段の筒体の外径から、順次各段毎に２５〜３０ｍｍずつ外径が大きくなるように形成されている
ことを特徴とする請求項１又は２記載のテレスコピックシュート。
【請求項４】
前記案内板は、主面の幅が１００±２５ｍｍとなるように形成されている
ことを特徴とする請求項１〜３のいずれか１項記載のテレスコピックシュート。
【発明の詳細な説明】
【技術分野】
【０００１】
この発明は、例えば粒状物を積込み場に積み込むために使用される荷役用のテレスコピックシュートに関する。
【背景技術】
【０００２】
従来より、粒状物などの貨物を倉庫などの積込み場に積み込む際等に、伸縮自在に伸び縮み可能なテレスコピックシュートが用いられている。例えば、下記特許文献１に開示されたテレスコピック式の荷役用シュートは、積付けの落差が大きい場合に積付け面に激突する衝撃によって粒状物が過度に細粒化することを防止するため、シュート内に可動式の回転トレイを配置している。
【０００３】
回転トレイは、シュートが縮んだ状態のときは折り畳まれて収容され、シュートが伸びた状態のときは展開してシュート内を通過する粒状物と衝突する緩衝体となるように配置されている。その他、粒状物の過度の細粒化を防ぐために、粒状物のシュートへの投入量と排出量とを平衡させ、粒状物をシュート内に一定レベルで滞留させ、落下距離を少なくして衝撃を緩めることも行われている。
【先行技術文献】
【特許文献】
【０００４】
【特許文献１】特開昭５０−１１８４５８号公報
【発明の概要】
【発明が解決しようとする課題】
【０００５】
しかしながら、上記特許文献１に開示された従来技術のテレスコピックシュートでは、回転トレイを動かすための可動機構がシュート内に必要となると共に、回転トレイを支持するピンやワイヤ等が必要となる。従って、これらの部材にダスト等が固着すると動作の妨げとなり、シュートの伸縮に支障を来すこととなる。
【０００６】
また、シュート内に粒状物を一定量滞留させるものでは、粒状物の投入量と排出量との均衡をとるための調整機構が別途必要となるので、コストアップに繋がると共に調整の制御が難しくなるという問題がある。
【０００７】
この発明は、上述した従来技術による問題点を解消し、安価な構成でシュート内を通過する粒状物の過度の細粒化を防止することができるテレスコピックシュートを提供することを目的とする。
【課題を解決するための手段】
【０００８】
本発明に係るテレスコピックシュートは、複数段に伸縮自在に嵌合取付された径が異なる複数の筒体からなるテレスコピックシュートであって、前記複数の筒体は、それぞれ下端開口部の中央部に内部を通過する粒状物と衝突する緩衝体を有し、前記複数の筒体のうち、少なくとも前記緩衝体に衝突した粒状物が通過する筒体は、内壁部に前記粒状物と衝突して通過方向を変更するための案内板を有し、前記緩衝体は、各筒体の収縮時にそれぞれ重なり合うように配置され、前記案内板は、各筒体の収縮時に内部に収納する筒体の外壁に干渉しない状態で固定配置されていることを特徴とする。
【０００９】
本発明に係るテレスコピックシュートによれば、各筒体の下端開口部の中央部に内部を通過する粒状物と衝突する緩衝体が設けられ、少なくとも緩衝体に衝突した粒状物が通過する筒体の内壁部に粒状物と衝突してその通過方向を変更するための案内板が設けられている。このため、粒状物が衝突する際の衝撃力を効果的に分散させることができ、筒体内を通過する粒状物の過度の細粒化を防止することができる。また、別途従来のような可動機構や調整機構が不要であるため、安価に構成することができる。
【００１０】
本発明の一実施形態においては、前記緩衝体が、前記筒体の上端開口部に向かって頂点が配置された円錐状部材又は角錐状部材からなり、前記案内板が、下端が前記筒体の下端開口部中央に向かうテーパ面となるように傾斜取付された螺旋状部材、環状部材又は半円状部材からなる。
【００１１】
本発明の他の実施形態においては、前記複数の筒体が、最上段の筒体の外径から、順次各段毎に２５〜３０ｍｍずつ外径が大きくなるように形成されている。
【００１２】
本発明の更に他の実施形態においては、前記案内板が、主面の幅が１００±２５ｍｍとなるように形成されている。
【発明の効果】
【００１３】
本発明によれば、安価な構成でシュート内を通過する粒状物の過度の細粒化を防止することができる。
【図面の簡単な説明】
【００１４】
【図１】本発明の一実施形態に係るテレスコピックシュートの伸展時の全体構成を示す図である。
【図２】図１のＡ−Ａ’拡大断面図である。
【図３】同テレスコピックシュートの収縮時の構成を示す図である。
【図４】同テレスコピックシュートの筒体における案内板のバリエーションを示す図である。
【発明を実施するための形態】
【００１５】
以下、添付の図面を参照して、この発明の実施の形態に係るテレスコピックシュートを詳細に説明する。図１は、本発明の一実施形態に係るテレスコピックシュートの伸展時の全体構成を示す図である。また、図２は図１のＡ−Ａ’拡大断面図、図３はテレスコピックシュートの収縮時の構成を示す図、図４はテレスコピックシュートの筒体における案内板のバリエーションを示す図である。
【００１６】
図１〜図３に示すように、テレスコピックシュート１は、複数の筒体１０，２０，３０を複数段に伸縮自在に嵌合取付してなり、ソーダ灰（無水炭酸ナトリウム）等の粒状物９０などの貨物を倉庫などの積込み場に積み込む際などに用いられる。
【００１７】
各筒体１０〜３０は、それぞれ下端開口部１９，２９，３９の中央部に、内部を通過する粒状物９０と衝突し、衝撃力を緩和するための緩衝体１１，２１，３１を備えている。各緩衝体１１〜３１は、図３に示すように、各筒体１０〜３０の収縮時に、それぞれ重なり合うように配置されている。各緩衝体１１〜３１は、このように収縮時に重なり合うように収納されるので、このときに落下する粒状物９０の通過を妨げるものではない。
【００１８】
各緩衝体１１〜３１は、本例では筒体１０〜３０の上端開口部１８，２８，３８に向かって頂点が配置された円錐状部材からなる。その他、各緩衝体１１〜３１は、同様に頂点が上端開口部１８〜３８に向かって配置された角錐状部材や傘状部材からなるものであってもよい。これら緩衝体１１〜３１の基本的な構造は同様であるため、ここでは緩衝体１１を例に挙げて説明するが、他の緩衝体２１，３１についても同様の構成を採ることが可能である。
【００１９】
緩衝体１１は、図２に示すように、下端開口部１９の中央部に、支持軸１１ａを介して筒体１０に支持固定された上で配置されている。支持軸１１ａは、緩衝体１１の頂点を中心としてそれぞれ１２０°ずつずれた位置に配置され、粒状物９０の通過を極力妨げないように細長い棒状に形成されている。なお、緩衝体１１の衝突面には、衝撃力を更に緩和するために、ゴムや樹脂等の弾性部材が取り付けられていてもよい。
【００２０】
また、各筒体１０〜３０のうち、少なくとも緩衝体１１，２１に衝突した粒状物９０が通過する筒体２０，３０は、それぞれ内壁部２７，３７に粒状物９０と衝突して通過方向を変更するための案内板２２，３２を備えている。各案内板２２，３２は、図３に示すように、各筒体１０〜３０の収縮時に、内部に収納する筒体１０，２０の外壁部１６，２６に干渉しない状態で内壁部２７，３７に固定配置されている。
【００２１】
各案内板２２，３２は、図４（ａ）に示すように、本例では筒体２０，３０の下端開口部２９，３９に向かってその主面が内壁部２７，３７の壁面に対してテーパ面となるように傾斜取付された連続的な螺旋状部材からなる。すなわち、案内板２２，３２は、下端が下端開口部２９，３９中央に向かうテーパ面となるように傾斜取り付けされている。その他、案内板２２，３２は、図４（ｂ）及び図４（ｃ）に示すような環状部材や、図４（ｄ）及び図４（ｅ）に示すような半円状部材からなるものであってもよい。なお、図４においては、構造を理解しやすくするために、案内板２２，３２の傾斜角度は図１等に示すものよりも緩やかとなるように表現されている。
【００２２】
図４（ｂ）は水平方向に沿った環状部材の案内板２２，３２を軸方向に複数段に取り付けた例を示し、図４（ｃ）は斜め方向に沿った環状部材の案内板２２，３２を軸方向に複数段に取り付けた例を示している。また、図４（ｄ）は水平方向に沿った半円状部材の案内板２２，３２を弧の部分が順次半分程度ずつ軸方向に重なるように複数段に取り付けた例を示し、図４（ｅ）は斜め方向に沿った半円状部材の案内板２２，３２を弧の部分が順次軸方向に重ならないように複数段に取り付けた例を示している。なお、図１等においては筒体１０の内壁部１７には案内板は設けられていないが、筒体２０，３０と同様に設けられていてもよい。
【００２３】
テレスコピックシュート１の各部は、具体的には例えば次のような寸法で構成されている。すなわち、筒体１０の軸方向の長さをＬ１、筒体２０の軸方向の長さをＬ２、及び筒体３０の軸方向の長さをＬ３とした場合、これら長さＬ１〜Ｌ３は５ｍに設定されている。
【００２４】
また、筒体１０の外径をＤ１として５００ｍｍに設定し、筒体２０の外径をＤ２、筒体３０の外径をＤ３とした場合、外径Ｄ２はＤ１＋２５〜３０ｍｍ、外径Ｄ３はＤ２＋２５〜３０ｍｍと順次大きくなるように各筒体１０〜３０は形成されている。更に、案内板２２，３２は、その主面の幅Ｓが、例えば１００±２５ｍｍとなるように形成されている。
【００２５】
各筒体１０〜３０は、筒体３０の外壁部３６に取り付けられた片部４１と、この片部４１に一端が取り付けられ、ローラ４２を介して他端がロープ巻取り装置に取り付けられたロープ４３とにより、伸縮自在に伸び縮みする。各筒体１０〜３０の繋ぎ目は、密接に接続され、筒体１０は、上端開口部１８がコンベヤ９１の移送端９２の開口部と連通するように、ジョイントフランジ部４４を図示しないボルトやナットで固定することによりコンベヤ９１に接続されている。
【００２６】
このように構成されたテレスコピックシュート１においては、まず、コンベヤ９１により移送されてきた粒状物９０が、移送端９２から矢印ａで示すように垂直方向に落下して、筒体１０の内部を通過する。筒体１０の内部を通過した粒状物９０の一部は、下端開口部１９に達するときに、緩衝体１１に衝突して矢印ｂで示すように筒体２０の上端開口部２８を通過する際に内壁部２７の方向にその落下方向（通過方向）が変更される。
【００２７】
通過方向が変更された粒状物９０は、筒体２０の内部を通過するときに、案内板２２の主面と衝突して矢印ｃで示すように筒体２０の中心方向に向かってその通過方向が変更される。そして、下端開口部２９に達するときに、緩衝体２１に衝突して矢印ｄで示すように筒体３０の上端開口部３８を通過する際に内壁部３７の方向に再度その通過方向が変更される。
【００２８】
再度通過方向が変更された粒状物９０は、筒体３０の内部を通過するときに、案内板３２の主面と衝突して矢印ｅで示すように筒体３０の中心方向に向かってその通過方向が再度変更される。最後に、下端開口部３９に達するときに、緩衝体３１に衝突して矢印ｆで示すように筒体３０の下端開口部３９を通過する際に再度その通過方向が変更されて排出される。
【００２９】
これにより、本実施形態に係るテレスコピックシュート１によれば、筒体１０〜３０を通って排出される粒状物９０は、緩衝体及び案内板により落下方向を変更することを繰り返してシュートから排出される。また、各筒体１０〜３０の下端開口部１９〜３９の中央部に緩衝体１１〜３１が設けられているため、粒状物９０の衝突距離を短くすることができる。従って、落下方向を変更せずに排出する場合と比べて、１回の衝突による衝撃力を小さくすることができ、結果的に衝撃力を分散させることができるので、粒状物９０を過度に細粒化させることなく排出することが可能となる。
【００３０】
特に、前述したソーダ灰、化学肥料、鉄鉱石、銅鉱石等の鉱物造粒品（粉上のものをハンドリング性向上の為に粒状に成形したもの）、家畜用配合飼料、又、木質ペレット等については、粒状物の強度が弱く、衝撃により容易に砕けて細粒化する。
【００３１】
そのような砕け易い粒状物を搬送する場合に、従来のテレスコピックシュートでは、衝撃により粒状物が砕けてしまうため、製品としての価値が下がるケースもあり、また多量に生じた細粒が、倉庫での貯留や搬送の障害になる可能性がある。それに比較して、衝撃を弱めて粒状物の細粒化を防止する本実施形態のテレスコピックシュート１は、前述した理由から、砕けやすい粒状物を搬送するのに特に好適である。
また、本実施形態であれば、落下方向を変更させたり、投入量や排出量を調整したりする機構が不要であるため、安価に構成することができる。
【００３２】
本実施形態に係るテレスコピックシュート１は、ソーダ灰等を倉庫内に貯留するコンベヤの先端シュート、粒状貨物を倉庫内に積み込むために使用する荷役用シュート、粒状物を野積みするスタッカーの先端シュート、及びトラック積込用伸縮シュートなどに適用することができる。
【符号の説明】
【００３３】
１                テレスコピックシュート
１０，２０，３０  筒体
１１，２１，３１  緩衝体
１６，２６，３６  外壁部
１７，２７，３７  内壁部
１８，２８，３８  上端開口部
１９，２９，３９  下端開口部
４１              片部
４２              ローラ
４３              ロープ
４４              ジョイントフランジ部
９０              粒状物
９１              コンベヤ
９２              移送端
【図１】
0005895579.tif 000002
【図２】
0005895579.tif 000003
【図３】
0005895579.tif 000004
【図４】
0005895579.tif 000005